(57)【要約】【課題】筐体への取付けそして接続を筐体の前方開口から行える筐体用コネクタを提供することを課題とする。【解決手段】電源ユニットＵの挿入のための前方開口部Ｆ１を有する筐体Ｆの後壁部Ｆ４内面上に取付けられる筐体用コネクタ１０がハウジング１１とケーブル付き電源端子２０を有し、ハウジング１１は、電源ユニットＵのユニット側コネクタＵ１に向く前方側に嵌合部１４Ａ，１４Ｂを、筐体に向く後方側に被取付け部１２を有し、ケーブル付き電源端子２０は、ケーブル２１と、該ケーブルの両端に設けられた電源端子２２とを有し、嵌合部１４Ａ，１４Ｂは、少なくとも前方に向け開口しており、ケーブル付き電源端子２０の電源端子２２を保持して電源ユニットＵのユニット側コネクタＵ１の端子と接触可能に位置せしめ、且つ、ケーブル付き電源端子２０のケーブル２１を被取付け部１２よりも前方範囲で延出させ、他の筐体用コネクタに接続可能とする。【選択図】図２
2014086297.tif 000002
【特許請求の範囲】
【請求項１】
複数の電源ユニットの挿入のために前方開口部が形成された筐体の後壁部内面上に取付けられて、各電源ユニットが有するユニット側コネクタと接続する筐体用コネクタにおいて、
該筐体用コネクタは、ハウジングとケーブル付き電源端子を有し、
ハウジングは、ユニット側コネクタに対向する前方側に嵌合部を有すると共に、筐体に対向する後方側に筐体へ取付けられる被取付け部を有し、
上記ケーブル付き電源端子は、ケーブルと、該ケーブルの両端に設けられた電源端子とを有し、
上記嵌合部は、少なくとも前方に向け開口しており、上記ケーブル付き電源端子の電源端子を保持して上記電源ユニットのユニット側コネクタの端子と接触可能に位置せしめ、且つ、該ケーブル付き電源端子のケーブルを上記被取付け部よりも前方範囲で延出させ、他の筐体用コネクタに接続可能とすることを特徴とする筐体用コネクタ。
【請求項２】
ケーブル付き端子は該ケーブル付き電源端子の端子を保持するケースを介してハウジングの嵌合部で保持されることとする請求項１に記載の筐体用コネクタ。
【請求項３】
筐体の後壁部に対して可動な状態でねじにより取付けられることを可能としている請求項１に記載の筐体用コネクタ。
【請求項４】
ケーブル付き電源端子の電源端子はＬ字状もしくはＵ字状をなしてハウジング外へ延出していることとする請求項１又は請求項２に記載の筐体用コネクタ。
【請求項５】
嵌合部は、該嵌合部を形成する周壁の一部に切欠部を有し、該切欠部でケーブル付き端子のケーブルの挿通を可能としていることとする請求項１又は請求項２に記載の筐体用コネクタ。
【請求項６】
筐体側コネクタが電源を制御するための制御信号用端子を有し、該制御用信号端子はＪ字状もしくはＵ字状に屈曲されていてユニット側コネクタと他の筺体用コネクタ対応部にそれぞれ接触する接触部を両端側に有し、他の筺体用コネクタに接触する接触部がユニット側コネクタと接触する接触部よりも後方に位置していることとする請求項１に記載の筐体用コネクタ。
【発明の詳細な説明】
【技術分野】
【０００１】
本発明は、電源装置のための筐体用コネクタに関し、特に、電源装置の筐体の前方開口部から複数の電源ユニットが挿入され、各電源ユニットがその後面に有するユニットコネクタに対応して筐体後壁部内面に設けられた筐体用コネクタが順次接続されているようになっている該筐体用コネクタに関する。
【背景技術】
【０００２】
この種の筐体用コネクタは、例えば、特許文献１にて電子機器の筐体のリアパネルに取り付けられるコネクタとして開示されている。特許文献１の電子機器は、装置本体の筐体がフロントパネルとリアパネルとを有し、ドライブディスクを収容したキャディをフロントパネルの開口部からそしてリアパネルの開口部から電源ユニット（電源）をそれぞれ筐体内に挿入することとしている。したがって、特許文献１の電子機器の組立てに際しては、作業者は、上記フロントパネル側とリアパネル側の両方から作業することとなる。しかしながら、例えば、特許文献１のようなキャディを有することなく、電源ユニットのみを複数収める電源装置の場合には、電源ユニットの挿入についてのみ着目することとなるので、上記リアパネルは、挿入のための前方開口が形成されている前面パネルに相当することとなる。
【０００３】
特許文献１では、筐体内には、垂直起立部を有するメイン基板が固定されており、該垂直起立部にはリアパネル側に向くケーブル付きの筐体用コネクタが取り付けられている。一方、リアパネルの各開口部からそれぞれ挿入される電源ユニットには、上記筐体用コネクタに向く面にコネクタが設けられている。かくして、電源ユニットをリアパネルの開口部から所定位置まで挿入すると、該電源ユニットはそのコネクタが筐体用コネクタに嵌合接続されるようになっている。したがって、電源ユニット同士は、上記筐体用コネクタを介して接続されることも可能となる。
【先行技術文献】
【特許文献】
【０００４】
【特許文献１】特開平１０−０３１５３７
【発明の概要】
【発明が解決しようとする課題】
【０００５】
しかしながら、特許文献１の電子機器が大型の装置あるいは電源ユニットを複数収容し互いに接続する電源装置であって装置重量が大きくなる場合、装置がそのリアパネル側を建物の壁面に近接して設置されていると、電源ユニットの交換時には、建物の壁面と装置の筐体のリアパネルとの間に作業空間を確保すべく、該装置を移動させなくてはならず、移動のための手間が要るし、そのための余分なスペースも必要となる。特に、装置が電源ユニットのみを複数収容している電源装置の場合には、上述のように、特許文献１のリアパネルがこの電源装置の前面パネルに相当するので、きわめて作業が困難となる。
【０００６】
あるいは、装置を移動させなくともよいようにするには、上記作業空間を確保した位置に装置を設置することもあり得るが、これでは建物内での空間利用率が低下する。
【０００７】
本発明は、かかる事情に鑑み、電源装置の筐体の後壁部が建物の壁面に近接して上記筐体が配置されても、これを移動させることなく、筐体の前方から電源ユニットを挿入可能とし、電源ユニット同士を接続するための筐体用コネクタに対してもその接続作業を前方から行うことができる、電源装置のための筐体用コネクタを提供することを課題とする。
【課題を解決するための手段】
【０００８】
本発明に係る筐体用コネクタは、複数の電源ユニットの挿入のために前方開口部が形成された筐体の後壁部内面上に取付けられて、各電源ユニットが有するユニット側コネクタと接続する。
【０００９】
筐体用コネクタにおいて、本発明では、該筐体用コネクタは、ハウジングとケーブル付き電源端子を有し、ハウジングは、ユニット側コネクタに対向する前方側に嵌合部を有すると共に、筐体に対向する後方側に筐体へ取付けられる被取付け部を有し、上記ケーブル付き電源端子は、ケーブルと、該ケーブルの両端に設けられた電源端子とを有し、上記嵌合部は、少なくとも前方に向け開口しており、上記ケーブル付き電源端子の電源端子を保持して上記電源ユニットのユニット側コネクタの端子と接触可能に位置せしめ、且つ、該ケーブル付き電源端子のケーブルを上記被取付け部よりも前方範囲で延出させ、他の筐体用コネクタに接続可能とすることを特徴としている。
【００１０】
かかる構成の本発明の筐体用コネクタによると、該筐体用コネクタは次の要領で電源装置の筐体へ取付けられそして筐体用コネクタ同士が接続され、さらには電源ユニットが筐体内へ挿入されて電源装置が組立てられる。
【００１１】
先ず、筐体用コネクタは、筐体の前方開口部から該筐体の後壁部内面へ位置づけられ該筐体用コネクタの被取付部で上記後壁部内面に対して取付けられる。筐体用コネクタは複数箇、それぞれの所定位置に取付けられる。次に、ケーブル付き電源端子を上記前方開口部から上記筐体用コネクタに位置づけて、筐体用コネクタの収容部へ前方から上記ケーブル付き電源端子の両端の電源端子を異なる筐体用コネクタに接続することで、該ケーブル付き電源端子により筐体用コネクタを次々と接続する。
【００１２】
しかる後、各電源ユニットを次々と筐体の前方開口部から該筐体内へ所定位置まで挿入する。この所定位置で電源ユニットのユニット側コネクタが自動的に対応筐体用コネクタと嵌合接続される。筐体用コネクタ同士はすでにケーブル付き端子で接続されているので、電源ユニット同士も筐体側コネクタそしてケーブル付き端子を介して接続されるようになり、複数の電源ユニットが接続された電源装置を得る。かくして、筐体用コネクタの取付け、ケーブル付き端子による筐体用コネクタ同士の接続、電源ユニットの挿入組立等の作業は、すべて筐体の上記前方開口部を経て行うことができる。
【００１３】
本発明において、ケーブル付き端子は該ケーブル付き電源端子の端子を保持するケースを介してハウジングの嵌合部で保持されるようにすることができる。こうすることで、上記ケースを収容部へ前方から挿入するだけで、ケースにより保持されているケーブル付き電源端子の接続を容易に行うことができる。
【００１４】
本発明において、筐体用コネクタは、筐体の後壁部に対して可動な状態でねじにより取付けられることとすることができる。
【００１５】
本発明において、ケーブル付き電源端子の電源端子はＬ字状もしくはＵ字状をなしてハウジング外へ延出しているようにすることができる。
【００１６】
本発明において、筐体用コネクタの嵌合部は、該嵌合部を形成する周壁の一部に切欠部を有し、該切欠部でケーブル付き端子のケーブルの挿通を可能としているようにすることができる。こうすることで、ケーブル付き電源端子のケーブルが切欠部を通って配線されるようになり、筐体内では、前後方向で筐体用コネクタの範囲で、もともとある空間内で配線されるので、配線のためのさらなる空間が不要であり、電源装置の同方向でのコンパクト化そしてケーブル付き電源端子の配線形態を単純化することができる。
【００１７】
本発明において、筐体側コネクタが電源を制御するための制御信号用端子を有し、該制御用信号端子はＪ字状もしくはＵ字状に屈曲されていてユニット側コネクタと他の筺体用コネクタ対応部にそれぞれ接触する接触部を両端側に有し、他の筺体用コネクタに接触する接触部がユニット側コネクタと接触する接触部よりも後方に位置しているようにすることができる。こうすることで、筐体用コネクタよりも前方で空間を設けることなく制御用コネクタを上記制御信号用端子に接続して、電源装置の制御を行うことが可能となる。
【発明の効果】
【００１８】
本発明は、以上のように、筐体用コネクタの筐体後壁内面への取付けそしてケーブル付き電源端子による筐体用コネクタ同士の接続を筐体の前方開口部側から行うことを可能とし、該前方開口部から電源ユニットを筐体内へ挿入するだけで、電源ユニット同士の接続を上記筐体用コネクタそしてケーブル付き電源端子を介して行えるようになり、接続作業、電源ユニットの挿入作業等すべて、筐体の後壁の外側で行うことなく、筐体の前方開口部側から行えるので、作業能率が向上するのみならず、電源装置の後壁側の建物の壁面に対する配置に何ら拘束を受けずに電源装置を設置することができ、建物内の空間が有効利用できるようになる。
【図面の簡単な説明】
【００１９】
【図１】本発明の筐体用コネクタが用いられる電源装置の概要構成を示す、電源ユニット組立前における斜視図である。
【図２】本発明の一実施形態としての複数の筐体用コネクタを筐体に取り付けられた状端子で示す斜視図であり、（Ａ）は筐体用コネクタ同士接続された状態、（Ｂ）は接続前を示す。
【図３】図２の筐体用コネクタ同士に用いられるケーブル付き電源端子を、下端側の電源端子が分解状態で示す斜視図である。
【図４】図３におけるケーブル付き電源端子の電源端子部分を示し、（Ａ）は図２（Ａ）でのＡ−Ａ断面図、（Ｂ）はＢ−Ｂ断面図である。
【図５】図２の変形例としての複数の筐体用コネクタを筐体に取り付けられた状態で示す斜視図であり、（Ａ）は筐体用コネクタ同士接続された状態、（Ｂ）は接続前を示す。
【図６】図２の他の変形例としての複数の筐体用コネクタを筐体に取り付けられた状態で示す斜視図であり、（Ａ）は筐体用コネクタ同士接続された状態、（Ｂ）は接続前を示す。
【発明を実施するための形態】
【００２０】
以下、添付図面にもとづき、本発明の実施の形態を説明する。
【００２１】
図１は、本実施形態の筐体用コネクタが用いられる電源装置の外観と概要構成を示す斜視図である。
【００２２】
図１において、符号Ｐは、下方そして前方が開口された筐体Ｆと、これに挿入装着される複数の電源ユニットＵとを有する電源装置であり、電源ユニットＵが筐体Ｆに装着される前の状態で示されている。
【００２３】
筐体Ｆは、強度を有して略箱型に作られているが、前方開口部Ｆ１と下方開口部Ｆ２とを有し、両開口部Ｆ１，Ｆ２が連通している。上記筐体Ｆの側壁Ｆ３の内面には、図示しない横方向レールが上下方向で複数段の位置に設けられていて、図１にて一点鎖線の矢印Ａで示される方向で、各段に電源ユニットＵを上記レールで案内しながら筐体Ｆ内へ挿入できるようになっている。後壁部Ｆ４の内面には、各段に本実施形態の筐体用コネクタ１０が取付けられている。上記電源ユニットＵは、例えば蓄電池等の電力供給源となるユニットであり、筐体Ｆ内への挿入方向先方側に向く面となる後面にユニット側コネクタＵ１が設けられている。該ユニット側コネクタＵ１は、電源ユニットＵの所定位置までの挿入装着動作により対応する筐体用コネクタ１０と自動的に接続されるようになっている。
【００２４】
図２は、筐体Ｆの後壁部Ｆ４の内面に取付けられている複数の筐体用コネクタ１０のうち、互いに上下で隣接する三箇の筐体用コネクタ１０のみを示し、図２（Ａ）はこれらがケーブル付き電源端子により接続されている状態、図２（Ｂ）は各筐体用コネクタ１０について、接続前かつ構成部材の組立前の状態を示している。
【００２５】
図２（Ａ）において、筐体用コネクタ１０は、電気絶縁材で作られたハウジング１１を有し、該ハウジング１１は、筐体Ｆの後壁部Ｆ４の内面に接面取付けされる横長略四角形の板面をもつ被取付部１２と、該被取付部１２から起立して前方に向け突出する筒状本体部１３とを有している。被取付部１２は、ハウジング１１の長手方向で筒状本体部１３の両側の端部に取付フランジ部１２Ａを有していて、該取付フランジ部１２Ａで取付けねじＳによって上記筐体Ｆの後壁部Ｆ４の内面に対して前方から取付けられるようになっている。
【００２６】
上記筒状本体部１３は、図２（Ｂ）に見られるように、その長手方向両側の位置に、前方に開口する四角筒状空間を形成する嵌合部１４Ａ，１４Ｂが形成されている。該嵌合部１４Ａ，１４Ｂは、後述のケーブル付き電源端子の端子を保持するケースを収容する空間を形成しており、その周壁の上下壁のうち、左方の嵌合部１４Ａに対して下壁に切欠部１４Ａ−１が、そして右方の嵌合部１４Ｂに対しては上壁に切欠部１４Ｂ−１がそれぞれ形成されている。したがって、左側の嵌合部１４Ａは前方そして下方に開口され、右側の嵌合部１４Ｂは前方そして上方に開口されていることになる。
【００２７】
上記両方の嵌合部１４Ａ，１４Ｂの間となる中央位置には、制御用コネクタ受入部１５が設けられている。該制御用コネクタ受入部１５は、図２そして図４（Ｂ）に見られるように、四角筒状をなしていて、上記嵌合部１４Ａ，１４Ｂの前端位置よりも前方に突出して形成されている（図２参照）。上記制御用コネクタ受入部１５の基部上下外面には、上方そして下方に突出して前方に開口する接続口１６が形成されており、上記制御用コネクタ受入部１５から接続口１６に及んで制御用信号端子１７が設けられている。上記制御用コネクタ受入部１５には、端子板部１５Ａが前方に向け延びていてその前端側が該制御用コネクタ受入部１５の空間内に位置しており、該端子板部１５Ａの上面そして下面にそれぞれ制御用信号端子１７の一端側が配され、該制御用信号端子１７はハウジング１１の後面に突出するように向け延びた後、それぞれ上方そして下方に屈曲されてから再び屈曲されて他端側が前方に向けて延びＪ字状をなしており、それぞれの他端側の前端が接触部１７Ａを形成していて上記接続口１６内に位置している。該接触部１７Ａが配されている接続口１６は、ハウジング１１の上記嵌合部１４Ａの前端よりも後方に位置している。
【００２８】
上記ハウジング１１の嵌合部１４Ａには、ケーブル付き電源端子２０の電源端子２２を保持するケース２３が前方から収容される。ケーブル付き電源端子２０は、図３に示されるごとく、可撓性を有する平型のケーブル２１の両端に電源端子２２が接続され、該電源端子２２がケース２３により保持されている。図３は、上記ケーブル２１の上端側では、接続されている電源端子２２がケース２３により保持されている状態、下端側では、電源端子２２がケース２３により保持される前の状態でのケーブル付き電源端子２０の様子を示している。かかるケーブル付き電源端子２０は、上下端側の電源端子２２そしてケース２３は同一形態そして同一保持構造であり、すなわち、上下で対称である。
【００２９】
ケーブル２１には、図４（Ａ）に見られるような断面Ｌ字状の平型の電源端子２２が接続されている。電源端子２２は、比較的剛性の高い厚手の金属片を板厚方向にＬ字状に屈曲してあると共に一端側がプレスにより薄手に成形されている。該薄手の一端側は接触部２２Ａをなし、厚手のままの他端側はケーブル２１との接続のための接続部２２Ｂをなしている。上記接触部２２Ａよりも屈曲部寄りの位置に係止部２２Ｃが設けられており、その板厚方向に貫通する係止孔２２Ｃ−１が穿設されている。該係止孔２２Ｃ−１とこれに嵌入する係止突起２７Ａは、端子幅方向で中心より若干ずれた位置にあり、逆挿入を防止している。
【００３０】
上記電源端子２２を保持するケース２３は、電気絶縁材で作られていて、前部２４と後部２５とから成る筒状部分と、後部２５に取付けられる取付部材２７とを有している。後部２５は後述の取付部材２７と共に上述のハウジング１１の嵌合部１４Ａの内周面に適合する外形、そして前部２４は、電源ユニットＵのユニット側コネクタＵ１を前方から受入れるに適合する内周面をそれぞれ有する四角筒状をなしている。上記電源端子２２の接触部２２Ａは、該前部２４の内部に位置して後部２５との境界をなす壁部２６にて前方の位置決めがなされている。接触部２２Ａの基部にて上記壁部２６により前方の位置決めがなされている電源端子２２は、係止部２２Ｃから接続部２２Ｂに至る範囲が上記前部２４外、すなわち壁部２６よりも後方に位置している。
【００３１】
上記ケース２３の後部２５は、図３の下方に位置するケース２３で見られるように、下方が開口して筒状で逆Ｕ字状断面をもつ筒状として後方へ延び、上記係止部２２Ｃを逆Ｕ字状部分で収容している。上記後部２５の下方には、Ｕ字状断面をもつ取付部材２７が設けられていて、上記係止部２２Ｃを上記後部２５に対して保持している。上記取付部材２７は、図３のごとく中央に上記電源端子２２の係止孔２２Ｃ−１に嵌入する係止突起２７Ａが設けられており、両側の腕部２７Ｂが上記後部２５の側面に対しロック固定されるようになっている。また上記取付部材２７の下面には、横Ｕ字状に弯曲した弾性被保持部２７Ｃが設けられていて、ケース２３が筒状本体部１３の嵌合部１４Ａ，１４Ｂに嵌合されたときに上記弾性被保持部２７Ｃが弾性圧をもって嵌合部１４Ａ，１４Ｂの内面（上内面もしくは下内面）に圧せられて、嵌合部１４Ａ，１４Ｂ内でのケース２３の保持に寄与する。弾性被保持部２７Ｃを適宜押圧操作することで嵌合部１４Ａ，１４Ｂから被取付部材２７の取出しができるようになり、ケーブル付き端子２０の交換が容易に行われる。
【００３２】
本実施形態では、複数の筐体用コネクタ１０のそれぞれの制御用信号端子１７は、該制御用信号端子１７の接触部１７Ａと制御用接続ケーブル付きコネクタ３０により接続される。制御用接続ケーブル付きコネクタ３０は、図２に見られるように、接続ケーブル３１の両端に接続コネクタ３２が接続されており、該接続コネクタ３２がハウジング１１の接続口１６に挿入されて該接続口１６内の制御用信号端子１７の接触部１７Ａに接続される。かくして、この制御用接続ケーブル付きコネクタ３０によって、上下で隣接する二つの筐体用コネクタ１０の互いに対向する側の制御用信号端子１７の接触部１７Ａ同士が接続される。上下で隣接する二つの筐体用コネクタ１０のそれぞれの制御用信号端子１７は、制御用コネクタ受入部１５内に嵌入される電源ユニットＵのユニット側コネクタＵ１の制御用コネクタ（図示せず）が接続され、一連の制御信号回路として統合されて、制御機器(図示しない)に接続されて管理される。なお、制御用接続ケーブル付きコネクタ３０の他方の接続コネクタ３２の接続先を他の筐体用コネクタ１０とせずに上記制御機器に直接接続することも可能である。
【００３３】
かかる本実施形態の筐体用コネクタは、次の要領で電源装置の筐体に取付けられた後、電源ユニットと接続される。
【００３４】
＜筐体への取付＞
先ず、筐体Ｆの後壁部Ｆ４の内面に対し、該筐体Ｆの前方開口部Ｆ１から筐体用コネクタ１０を配置し取付ける。この取付け配置そして取付け作業は筐体Ｆの前方開口部Ｆ１からなされ、該筐体用コネクタ１０は被取付部１２にて取付けねじＳにより取付けられる。
【００３５】
次に、ケーブル付き電源端子２０もしくは制御用接続ケーブル付きコネクタ３０を筐体用コネクタ１０へ接続する。
【００３６】
ケーブル付き電源端子２０は、高電流に対応可能で可撓性のある平編銅線（フレキシブルバスバー）等のケーブル２１の両端に平板状の電源端子２２が接続され、この電源端子２２がケース２３により保持されている。このケーブル付き電源端子２０は、筐体用コネクタ１０への接続に先立ち、ケーブル２１をその長手方向の二箇所のそれぞれで、直角方向に延びるようにケーブル面が部分的に重なるよう折曲して、全体としてクランク状に延びる形をなす。図２には、この折曲状態のケーブル付き電源端子２０が示されている。ケーブル２１を二箇所で折曲した状態で、前後方向に対してケーブルの面を直角に位置させると、ケーブル２１の両端の電源端子２２を保持するケース２３はいずれも同一方向に向くようになる。二つのケース２３をいずれも前部２４が前方に向いて開口する姿勢で、一端側のケース２３を、例えば、図２にて最上段の筐体用コネクタ１０の左側の嵌合部１４Ａにそして他端側のケース２３をその下側に位置する次段の筐体用コネクタ１０の嵌合部１４Ｂにそれぞれ前方から嵌合させる。その際、ケーブル２１は最上段の筐体用コネクタ１０の左側の嵌合部１４Ａでは下面側の切欠部１４Ａ−１を、そして次段の筐体用コネクタ１０の右側の嵌合部１４Ｂでは上面側の切欠部１４Ｂ−１を通して配線され、該ケーブル２１は筐体用コネクタ１０の後部すなわち筐体Ｆの後壁部Ｆ４の内面に近接して沿った形で位置し、コンパクトな配線がなされる。ケース２３が嵌合部１４Ａ内に収まると、ケーブル付き電源端子２０の電源端子２２は筺体用コネクタ１０の端子になると共に、該ケース２３と制御用コネクタ受入部１５の前端縁同士が前後方向でほぼ同一の位置となり、電源ユニットＵのユニット側コネクタＵ１と同時期に接続される。
【００３７】
次に、制御用接続ケーブル付きコネクタ３０を制御用信号端子の接触部１７Ａに接続する。この制御用接続ケーブル付きコネクタ３０の接続も筐体Ｆの前方開口部Ｆ１を経て前方から行われる。既述のように、接続ケーブル３１の一端側の接続コネクタ３２が最上段の筐体用コネクタ１０の下側の接続口１６内の接触部１７Ａに、そして他端側の接続コネクタ３２が次段の筐体用コネクタ１０の上側の接続口１６内の接触部１７Ａに接続される。しかしながら、一つの筐体用コネクタ１０の制御用コネクタ受入部１５の端子板部１５Ａの上下面にそれぞれ配置されている制御用信号端子１７の接触部１７Ａ同士はまだ接続されている状態ではない。
【００３８】
＜電源ユニットの挿入装着＞
次に複数の電源ユニットＵを筐体Ｆの前方開口部Ｆ１から該筐体Ｆ内へ順次挿入する。各電源ユニットＵは、挿入方向先方の面となるユニット後面にユニット側コネクタＵ１を有している。該ユニット側コネクタＵ１は、既述した筐体用コネクタ１０に対応して、二つの電源用コネクタと一つの制御用コネクタ（いずれも図示せず）を有しており、各電源用コネクタは、筐体用コネクタ１０の左右二つのケース２３の電源端子２２にそれぞれ対応して嵌合し、接触部２２Ａと接続される。また、制御用コネクタは筐体用コネクタ１０の中央に位置している両制御用信号端子１７を電源ユニットＵ内の制御回路（図示せず）を介して接続する。後続の他の電源ユニットＵも上記前方開口部Ｆ１から筐体Ｆ内に順次挿入されることで、それらのユニット側コネクタＵ１が対応の筐体用コネクタ１０と同様にして接続される。かくして、複数の電源ユニットＵは、上下に位置する電源ユニットＵ同士が、対応して位置する筐体用コネクタ１０の上段の筐体用コネクタ１０の左側と次段の筐体用コネクタ１０の右側との間に両電源端子２２が保持されるケーブル付き電源端子２０により直接的に接続されることになり、全電源ユニットＵは直列に接続される。なお、最上段の筐体用コネクタ１０の右側の電源端子２２と最下段の筐体用コネクタ１０の左側の電源端子２２は、電源装置Ｐを使用する機器装置の電力入力端子と適宜ケーブルで接続され、かくして、電源装置Ｐは該機器装置と閉ループを形成して該機器装置へ電力を供給する。電力の供給状況は、電源ユニットＵ側の制御回路により上記制御用信号端子１７を介して制御される。
【００３９】
本発明は、図１ないし図４の形態に限定されず、種々変形が可能である。図１ないし図４に示されていた側のように、ケーブル付き電源端子２０の電源端子２２がケース２３にて保持されていることを要せず、図５のごとく、電源端子２２は筐体用コネクタ１０のハウジング１１の嵌合部１４Ａ，１４Ｂを嵌合方向に延出してユニット側コネクタＵ１に対する嵌合部とし、この内部で直接保持されていてもよい。この場合も、ケーブル付き電源端子２０のケーブル２１は、上記嵌合部１４Ａに形成された切欠部１４Ａ−１，１４Ｂ−１を通って配線される。
【００４０】
また、図６のように、ケーブル付き電源端子２０の電源端子２２を横Ｕ字状に屈曲形成して、ケーブル２１と接続される接続部２２Ｂを前方に向けて延出させることもできる。その場合、筐体用コネクタ１０のハウジング１１は嵌合部１４Ａ，１４Ｂに切欠部を形成することなく、ケース２３で保持された電源端子２２の上記接続部２２Ｂを収めるための膨出部１４Ａ−２，１４Ｂ−２を設ければ良い。
【符号の説明】
【００４１】
１０  筐体用コネクタ                  ２２  電源端子
１１  ハウジング                      Ｆ  筐体
１２  被取付部                        Ｆ１  前方開口部
１４Ａ，１４Ｂ  嵌合部                Ｆ４  後壁部
１４Ａ−１，１４Ｂ−１  切欠部        Ｐ  電源装置
１７  制御用信号端子                  Ｕ  電源ユニット
２０  ケーブル付き電源端子            Ｕ１  ユニット側コネクタ
２１  ケーブル                        Ｓ  取付けねじ
【図１】
2014086297.tif 000003
【図２】
2014086297.tif 000004
【図３】
2014086297.tif 000005
【図４】
2014086297.tif 000006
【図５】
2014086297.tif 000007
【図６】
2014086297.tif 000008